(57)【要約】【課題】任意の周波数帯の信号を処理し，混合して出力するように構成された信号処理装置において，入力周波数と出力周波数にそれぞれ対応した分波器・合波器の設計および手間のかかる調整が不要にする。【解決手段】第１周波数帯域の信号を入力する入力端子２と，処理後の信号を出力する出力端子３と，該入力端子２から入力された第１周波数帯域の信号を，複数に分配し混合する一対の分配器１４と混合器１６とを備え，該分配器１４の一つの分配出力端子と該混合器１６の一つの混合入力端子の間に，第１周波数帯域の信号が通過する第１周波数信号通過回路を設け，該分配器１４の他方の分配出力端子と該混合器の他方の混合入力端子の間に，第１周波数帯域内の信号処理回路１０を設け，前記混合器１６と前記出力端子３の間に，少なくとも前記分配器１４および混合器１６で発生する信号レベルの減衰を補償するための補償増幅器１８を設ける。【選択図】  図１
2004253836.tif 000002
【特許請求の範囲】
【請求項１】
信号処理装置において，第１周波数帯域の信号を入力する入力端子と，
処理後の信号を出力する出力端子と，
該入力端子から入力された第１周波数帯域の信号を，複数に分配し混合する一対の分配器と混合器とを備え，
該分配器の一つの分配出力端子と該混合器の一つの混合入力端子の間に，第１周波数帯域の信号が通過する第１周波数信号通過回路を設け，
該分配器の第１の周波数信号通過回路が接続された端子以外の１または複数の分配出力端子と該混合器の第１の周波数信号通過回路が接続された端子以外の１または複数の混合入力端子の間に，１または複数の第１周波数帯域内の信号処理回路を設け，
前記混合器と前記出力端子の間に，少なくとも前記分配器および混合器で発生する信号レベルの減衰を補償するための補償増幅器を設けたことを特徴とする信号処理装置。
【請求項２】
前記信号処理回路は，前記第１周波数帯域の信号に含まれる妨害波成分を除去する妨害波除去機能を有することを特徴とする請求項１に記載の信号処理装置。
【請求項３】
前記信号処理回路から出力される出力信号の周波数帯域は，第１周波数帯域内であって，前記信号処理回路に入力される入力信号の周波数帯域と重ならない異なる周波数に，周波数変換されていることを特徴とする請求項１または請求項２に記載の信号処理装置。
【請求項４】
前記信号処理回路から出力される出力信号の周波数帯域と，前記信号処理回路に入力される入力信号の周波数帯域は，略同一に設定されており，前記第１周波数信号通過回路上に前記信号処理回路から出力される周波数の通過を阻止する帯域阻止フィルターを設けたことを特徴とする請求項１または請求項２に記載の信号処理装置。
【請求項５】
前記入力端子および前記出力端子の間に，前記第１周波数信号より周波数が高い第２周波数信号が通過できる第２周波数信号通過回路を備えたことを特徴とする請求項１乃至請求項４のいずれかに記載の信号処理装置。
【請求項６】
前記入力端子および前記出力端子の間に，前記第１周波数信号より周波数が低い信号，または，電源電圧が通過できる電源通過手段を備えたことを特徴とする請求項１乃至請求項５のいずれかに記載の信号処理装置。
【請求項７】
前記第１周波数信号は，ＶＨＦ帯域およびＵＨＦ帯域のテレビ放送信号であり，
前記第２周波数信号は，ＢＳ帯域およびＣＳ帯域の衛星信号であることを特徴とする請求項１乃至請求項６のいずれかに記載の信号処理装置。
【発明の詳細な説明】
【０００１】
【発明の属する技術分野】
本発明は，ＣＡＴＶで使用される信号処理装置に関するものである。より詳しくは，任意の周波数帯の信号を処理し，処理後の複数の信号を混合して出力する信号処理装置に関するものである。
【０００２】
【従来の技術】
従来より，特定の周波数帯の信号を各々処理し，混合して出力するように構成された信号処理装置は広く知られている。（例えば，特許文献１参照）
上記従来の信号処理装置（端末補償増幅器）は，処理する周波数帯域に応じた分波器により分波した信号をその周波数帯域ごとに増幅し合波器を使用して混合していた。
【０００３】
【特許文献１】
特開平０８−２８８７６４号公報（図１）
【０００４】
【発明が解決しようとする課題】
しかし，従来の信号処理装置では，入力および出力の周波数帯域が予め決まっているため，各通過信号周波数帯域の信号の減衰量が小さい分波器・合波器が使用できるが，入力および出力信号の周波数が任意に変更される場合には，その都度，分波器・合波器の再設計・調整が必要であり，多くの時間や手間がかかるという問題があった。
すなわち，従来の信号処理装置では，分波器・合波器における信号の通過損失が小さいため出力レベルの低下や歪が増加するという問題はなかった。しかし，任意の入力周波数および出力周波数の帯域に対応できるよう，分波器・合波器の代わりに分配器・混合器を使用すると，信号の通過損失が大きいために出力レベルの低下や歪が増加するという問題があった。
【０００５】
そこで本件出願の信号処理装置は，上記従来技術の問題点を解決するために提供するものである。
本件出願の目的は，任意の周波数帯域の信号を処理し，混合して出力するように構成された信号処理装置において，入力周波数と出力周波数にそれぞれ対応した分波器・合波器の設計および手間のかかる調整が不要な信号処理装置を提供しようとするものである。
他の目的は，高い出力レベル，かつ，低歪率で運用できる信号処理装置を提供するものである。
他の目的は，妨害波信号の潜在波が直接，装置へ飛び込むことによって発生する妨害を，未然に防止できる信号処理装置を提供するものである。
他の目的は，従来のＣＡＴＶシステムにそのまま追加できる信号処理装置を提供するものである。
他の目的は，複数の信号処理を同時に行える信号処理装置を提供するものである。
他の目的は，地上波テレビ放送のビートやゴーストなどの妨害波除去が可能な信号処理装置を提供するものである。
【０００６】
【課題を解決するための手段】
上記課題を解決するために，請求項１の発明は，信号処理装置において，第１周波数帯域の信号を入力する入力端子と，
処理後の信号を出力する出力端子と，
該入力端子から入力された第１周波数帯域の信号を，複数に分配し混合する一対の分配器と混合器とを備え，
該分配器の一つの分配出力端子と該混合器の一つの混合入力端子の間に，第１周波数帯域の信号が通過する第１周波数信号通過回路を設け，
該分配器の第１の周波数信号通過回路が接続された端子以外の１または複数の分配出力端子と該混合器の第１の周波数信号通過回路が接続された端子以外の１または複数の混合入力端子の間に，第１周波数帯域内の信号処理回路を設け，
前記混合器と前記出力端子の間に，少なくとも前記分配器および混合器で発生する信号レベルの減衰を補償するための補償増幅器を設けるよう構成される。
【０００７】
請求項２の発明は，前記信号処理回路において，前記第１周波数帯域の信号に含まれる妨害波成分を除去する妨害波除去機能を有するよう構成される。
【０００８】
請求項３の発明は，前記信号処理回路から出力される出力信号の周波数帯域は，第１周波数帯域内であって，前記信号処理回路に入力される入力信号の周波数帯域と重ならない異なる周波数に，周波数変換されるよう構成される。
【０００９】
請求項４の発明は，前記信号処理回路から出力される出力信号の周波数帯域と，前記信号処理回路に入力される入力信号の周波数帯域は，略同一に設定されており，前記第１周波数信号通過回路上に前記信号処理回路から出力される周波数の通過を阻止する帯域阻止フィルターを設けるよう構成される。
【００１０】
請求項５の発明は，前記入力端子および前記出力端子の間に，前記第１周波数信号より周波数が高い第２周波数信号が通過できる第２周波数信号通過回路を備えるよう構成される。
【００１１】
請求項６の発明は，前記入力端子および前記出力端子の間に，前記第１周波数信号より周波数が低い信号，または，電源電圧が通過できる電源通過手段を備えるよう構成される。
【００１２】
請求項７の発明は，前記第１周波数信号はＶＨＦ帯域およびＵＨＦ帯域のテレビ放送信号であり，
前記第２周波数信号は，ＢＳ帯域およびＣＳ帯域の衛星信号であるよう構成される。
【００１３】
【発明の実施の形態】
以下に，本発明を具体化した実施形態の例を，図面を基に詳細に説明する。
図１は本発明における第１の実施例のブロック図，図２は第１の実施例を用いたテレビ受信システムである。
【００１４】
図１，２を基に第１の実施例について説明する。１は信号処理装置であり，本願の実施例ではオフセットビートキャンセラーを代表として例示する。このオフセットビートキャンセラー１は，地上波デジタル放送の開始によって，ＵＨＦ帯のｃｈ１３〜ｃｈ３１にあったアナログ放送の信号は，周波数変更を行いｃｈ３２より高い周波数に移行することになった。しかしながら周波数変更を行わない従来のアナログ放送のチャンネルも，当分の間サイマル放送されることとなり，変更後におけるアナログ周波数帯の複数の第一周波数帯域の信号（以下，チャンネルとも言う）において，オフセットビート障害が発生したチャンネルの信号のビート成分を除去すると共に，当該チャンネルとは異なるチャンネルであって，既存のチャンネルとは重複しないチャンネルに周波数変換して出力するよう構成されている。
【００１５】
オフセットビートキャンセラー１は，ＢＳ・ＣＳ衛星アンテナ１０３によって受信された信号の中間周波数帯（以下，ＢＳ・ＣＳ−ＩＦ帯と記載する。）の信号（本発明の第２周波数帯域の信号に相当する）は，入力端子２と電源フィルター１１と，１０３２ＭＨｚをカットオフ周波数とするハイパスフィルター２０（以下，ＨＰＦと記載する。）とで構成される，ＢＳ・ＣＳ−ＩＦ帯の信号入力経路を介して，ＢＳ・ＣＳ−ＩＦ帯の信号のパス回路２１を通過する。当該パス回路２１を通過したＢＳ・ＣＳ−ＩＦ帯の信号は，カットオフ周波数を１０３２ＭＨｚとするＨＰＦ２２と電源フィルター１２と出力端子３とで構成されるＢＳ・ＣＳ−ＩＦ帯の信号出力経路を介して端末側の伝送線に出力される。なお，信号入力経路とパス回路２１と信号出力経路が本発明の第２周波数信号通過回路に相当する。
【００１６】
次に，ＶＨＦアンテナ１０１，ＵＨＦアンテナ１０２で受信された信号（本発明の第１周波数帯域の信号に相当する）は，入力端子２と電源フィルター１１と，７７０ＭＨｚをカットオフ周波数とするローパスフィルター１３（以下，ＬＰＦと記載する。）と，分配器１４とで構成される，ＶＨＦ・ＵＨＦ帯の信号入力経路を介して，ＶＨＦ・ＵＨＦ帯の信号パス回路１５に入力される。当該パス回路１５を通過したＶＨＦ・ＵＨＦ帯の信号は，混合器１６の一つのの端子に入力される。なお，信号パス回路１５が本発明の第１周波数信号通過回路に相当する。
【００１７】
また，上記ＶＨＦ・ＵＨＦ帯の信号入力経路を構成する分配器１４の分配端子のうち第１の周波数信号通過回路が接続された端子以外の１または複数の分配端子を介して，通過したＶＨＦ・ＵＨＦ信号が，信号処理回路１０に入力される。更に詳しく言えば，本発明の信号処理回路１０においては，信号処理部１０ａでＵＨＦ帯の周波数帯（５８４〜７７０ＭＨｚ。ｃｈ３２〜ｃｈ６２）の中から，オフセットビート障害の発生した，特定の周波数帯の信号を選択的に取り入れて，上記特定の周波数帯の信号に生じたオフセットビート成分を除去する処理をすると共に，ＵＨＦ帯の周波数帯（４７０〜７７０ＭＨｚ。ｃｈ１３〜ｃｈ６２）の内から，上記特定の周波数とは異なる周波数帯であって，放送されていない周波数帯に変換するよう構成されている。こうして処理されたＵＨＦ帯の信号は，増幅器１０ｂ，１０ｃ，利得調整回路１０ｄによって，上記第１周波数信号通過回路を通過した信号のレベルと略同レベルまで増幅された後，上記ＶＨＦ・ＵＨＦ帯の信号出力経路を構成する混合器１６のうち第１の周波数信号通過回路が接続された入力端子以外の１または複数の入力端子に入力される。なお，信号処理部１０ａ，増幅器１０ｂ，１０ｃ，利得調整回路１０ｄが本発明の信号処理回路に相当する。
【００１８】
こうして，第１周波数信号通過回路と信号処理回路を通過した信号は，混合器１６によって混合された後，増幅回路１８で適宜増幅される。増幅器１８は，ＶＨＦ・ＵＨＦ帯の信号パス回路１５を通過する信号の入・出力経路の損失を補償すると共に，信号処理回路１０を通過した信号を，最適な出力レベルまで増幅するためのものである。詳しく言えば，この信号処理装置１を，既設の受信システム１００におけるテレビ受信用増幅装置１０４の出力側に接続した場合，少なくとも当該テレビ受信用増幅装置１０４の出力レベルと略同じレベルの出力が上記信号処理装置１から出力されるように構成することで，既設のテレビ受信システム１００への設置を容易にするのである。
増幅された信号は，カットオフ周波数を７７０ＭＨｚとするＬＰＦ１９と，電源フィルター１２と，出力端子３とで構成される，ＶＨＦ・ＵＨＦ帯の信号出力経路を介して端末側の伝送線に出力される。
本実施例の場合，増幅器１８の利得は前記分配器１４の分配損失４〜５ｄＢ，混合器１６の通過損失４〜５ｄＢ，第１周波数信号の入力・出力経路の通過損失各１ｄＢ，電源フィルターの通過損失各１ｄＢを加えた値に設定してある。
また，増幅器１８を従来の技術に開示されているように，各周波数帯域ごとに（換言すると伝送系列ごとに）設けた場合に比べて，増幅器１８の出力レベルを抑えることができ，その結果出力信号の歪も軽減される。一般に，出力レベルが５ｄＢ  抑えられると二次歪は５ｄＢ，３次歪に至っては１０ｄＢ軽減することができる。
このように，分配器１４，混合器１６を用いることにより，信号処理の必要な受信チャンネルおよび，処理後の送信チャンネルを任意に設定することが可能になる。また，各チャンネルが変更されてもいちいちフィルターを再設計したり，調整する手間が省けるという優れた効果を奏する。
【００１９】
また，４は外部電源供給端子，４ａは避雷回路付電源回路であり，図１に示す実施例では，上記信号処理回路１０は，外部電源供給端子４を介して，オフセットビートキャンセラー１の外部に接続された電源装置１１５から電源供給されるように構成されている。
また，電源フィルター１２は，電源フィルター１１と接続され電流通過回路２５が形成されており，端末側から伝送線に重畳された直流電圧（例えば，ＤＣ１５Ｖ）を，出力端子３から入力端子２に電流通過して，入力端子２に接続された伝送線に出力する。
なお，電源フィルター１２，１１および，電流通過回路２５が本発明の電源通過手段に相当する。
尚，電源フィルター１１，１２には，避雷回路を備えさせることで，テレビ受信システムの耐雷性能を更に強化することも可能である。
また，電流通過回路２５にはたとえば，衛星切り換え用の数１０ｋＨｚ〜数１００ｋＨｚの信号を電源電圧に重畳して衛星コンバータに伝送することができる。
【００２０】
このように構成されたオフセットビートキャンセラー１を用いたテレビ受信システムについて更に詳しく説明する。
地上波デジタル放送の開始によって，ＵＨＦ帯のｃｈ１３〜ｃｈ３１にあったアナログ放送の信号は，周波数変更を行いｃｈ３２より高い周波数に移行することになった。（アナ・アナ変換という）しかしながら周波数変更を行わない従来のアナログ放送のチャンネルも，当分の間サイマル放送されることとなり，夫々の地域の状況に合わせて，テレビ受信システム１００を対応させる必要が生じた。
同一チャンネルによるオフセットビート障害に対する対応もこの対応の１つである。
【００２１】
例えば，ＶＨＦアンテナ１０１，ＵＨＦアンテナ１０２，ＢＳ・ＣＳアンテナ１０３を用いて，夫々の信号を受信して，１本の伝送線１０５で屋外から屋内に引き込んでいる，既設の受信システム１００において，同一チャンネルによるオフセットビート障害が発生した場合について考える。
このシステム１００があるサービスエリアにおいて，従来から受信していた希望波であるアナログ放送波をｃｈ５０とする。新たにアナ・アナ変換によって近隣に始まった妨害波であるアナログ放送波がｃｈ５０（周波数オフセット，＋１０ＫＨｚ）であったとすると，希望波および妨害波のＤ／Ｕによってはオフセットビート障害が発生する。このような状況における対策に，屋外から屋内に引き込むための伝送線１０５に，本発明の構成のオフセットビートキャンセラー１を介設することで，従来の受信システムに大幅な改修を加えることなく対応できるようにしたのが本発明の受信システムである。
【００２２】
即ち，伝送線１０５に伝送されている信号の内，ＢＳ・ＣＳ−ＩＦ帯の信号は，上記第２周波数信号通過回路２１を介して出力される。ＶＨＦ帯の受信信号と，ＵＨＦ帯のオフセットビート障害が見られるｃｈ５０と，アナ・アナ変換によって新しく出た，妨害波であるｃｈ５０（周波数オフセット，プラス１０ｋＨｚ）は上記第１周波数信号通過回路，混合器１６を介して上記増幅器１８に入力される。また希望波であるｃｈ５０は信号処理回路において，オフセットビート障害を処理した後，上記ｃｈ５０とは異なる，例えばｃｈ４５に周波数変換され，増幅器１０ｂ，１０ｃ，利得調整回路１０ｄで適宜増幅された後混合器１６を介して増幅器１８に入力される。
【００２３】
これらの信号は，第１および，第２の信号出力経路で混合され出力端子３に出力される。こうして出力された信号は，ＶＨＦ帯の信号，ＵＨＦ帯のオフセットビート障害対策をしたｃｈ４５，オフセットビート障害のあるｃｈ５０，アナ・アナ変換で追加されたｃｈ５０（周波数オフセット，プラス１０ｋＨｚ），ＢＳ・ＣＳ−ＩＦ帯の信号が，伝送線１０５，分配器１０６，テレビ端子１０７，端末側の電源供給器１０８，分波器１０９等を介してテレビ受像機１１０やＢＳ・ＣＳチューナ１１１に接続される。
【００２４】
更に，本発明のオフセットビートキャンセラー１の出力端子３と，入力端子２の間には，電流通過回路２５が形成されているため，上記端末側の電源供給器１０８から，オフセットビートキャンセラー１を設置したシステム１００における，テレビ受信用増幅装置１０４や衛星アンテナ１０３に備えられた衛星コンバーター１０３ａ等への電源供給が，従来からの設置状態のままで変更することなく使用できる。更に加えて，本発明のオフセットビートキャンセラー１を構成する信号処理回路１０への電源供給は，外部に設けられたビートキャンセラー用の外部電源供給器１１５から，オフセットビートキャンセラー１に備えられた外部電源供給端子４を通して行う。本発明においては，この外部電源供給端子４はＦ型コネクターで構成されており，外部電源供給器１１５と外部電源供給端子４は，例えば同軸ケーブル１１６を介して接続する方法であるので，上記外部電源供給器１１５は商用電源が既に配線されている場所に設置すればよく，同軸ケーブル１１６の簡単な配線だけでオフセットビートキャンセラー１を動作させることができるのである。
【００２５】
このように，少なくともＵＨＦ帯を受信するシステムにおいて，地上波デジタル放送開始に伴う，アナログ周波数変更対策によって発生するオフセットビート障害に対応するために，本発明の構成のオフセットビートキャンセラー１を用い，本発明の例のようにテレビ受信システムを構成することで，オフセットビート障害に対して，従来のシステムを生かしつつ，大幅な改修工事を必要とせず，コストを押えた対策ができるのである。
【００２６】
尚，本発明は上記実施の形態に限定されるものではなく，本発明の趣旨を逸脱しない範囲で各部の構成等を適宜に変更して実施することも可能である。
尚，本発明の第１の実施例では，信号処理回路に入力される第１周波数帯域の信号周波数と，信号処理回路から出力される第１周波数帯域の信号周波数は異ならせてある説明をした。
このように，入力と出力の信号周波数を異ならせることにより，妨害波信号の潜在電界が強い場合には信号処理装置の出力側に直接妨害波信号が飛び込み，出力信号に妨害を与えにくくする効果があるが，反面，受信者は，周波数が変更されていることを意識して，テレビ受像機等受信装置を操作しなければならない。このような場合には，請求項４に記載の信号処理装置を用いると良い。
請求項４に記載の信号処理装置について図３を用いて詳しく説明する。なお，図３において前述の図１のものと機能，性質または特徴等が同一または均等構成と考えられる部分には前述の図１と同一符号を付して重複する説明を省略する。図３において，図１と相違する点は，前記第１周波数帯域通過回路上（より詳しくは信号パス回路１５）に前記信号処理回路１０から出力される特定の周波数の信号の通過を阻止する帯域阻止フィルター１７が設けられている。
このように，帯域阻止フィルター１７が設けられているため前記オフセットビート障害が見られるチャンネルの信号と，アナ・アナ変換によって新しくできた妨害波であるオフセットされたチャンネル信号の通過を阻止すると共に，
前記，信号処理回路１０でオフセットビート障害を処理した信号を受信入力チャンネルと同一のチャンネルで出力することが可能となり，受信者は，周波数が変更されていることを意識することなく，テレビ受像機等受信装置を操作できるという優れた効果を奏する。
【００２７】
次に，上記実施例では，妨害波が一つの場合の説明をしたが，妨害波が複数存在する場合について図４を用いて詳しく説明する。
なお，図４においても前述の図１のものと，同一または均等構成と考えれる部分は，前述の図１と同一の符号を付して重複する説明を省略する。
図４において，図１と相違する点は，前記分配器１４，混合器１６の端子数が多くなっている。
また，分配器１４，混合器１６の間に複数の信号処理回路１０が並列に接続されている。
前記分配器１４で分配された前記第１周波数帯の信号は，各信号処理回路１０で，それぞれ対応するチャンネルのオフセットビート障害を処理して出力し，混合器１６で混合した後，増幅器１８で所定レベルまで増幅し出力端子から出力する構成になっている。
このように構成することにより，複数のオフセットビート障害を一つの信号処理装置で対応できる。
なおこのように構成された信号処理装置をさらに，請求項４に記載したように構成する場合は，各信号処理装置の各出力周波数に対応した帯域阻止フィルターを信号パス回路１５上に直列に接続する必要がある。
【００２８】
また，第１〜第３の実施例では，前記第１周波数帯域の信号（詳しくはＶＨＦ・ＵＨＦ帯のテレビ放送信号）と前記第２周波数帯域の信号（詳しくはＢＳ・ＣＳ−ＩＦ帯の信号）の分波・合成方法として，ＬＰＦ，ＨＰＦを使用したが，これに限定されるものではなく，例えばＢＰＦ（バンドパスフィルター）など他のフィルターを用いて構成しても良い。
また，上記実施例では，妨害波除去機能としてオフセットビートキャンセラーについて述べたが，ゴースト除去機能であっても同じ効果が得られる。
【００２９】
【発明の効果】
以上詳述したように，請求項１の発明によれば，信号処理装置において，第１周波数帯域の信号を入力する入力端子と，
処理後の信号を出力する出力端子と，
該入力端子から入力された第１周波数帯域の信号を，複数に分配し混合する一対の分配器と混合器とを備え，
該分配器の一つの分配出力端子と該混合器の一つの混合入力端子の間に，第１周波数帯域の信号が通過する第１周波数信号通過回路を設け，
該分配器の第１の周波数信号通過回路が接続された端子以外の１または複数の分配出力端子と該混合器の第１の周波数信号通過回路が接続された端子以外の１または複数の混合入力端子の間に，第１周波数帯域内の信号処理回路を設け，
前記混合器と前記出力端子の間に，少なくとも前記分配器および混合器で発生する信号レベルの減衰を補償するための補償増幅器を設けるよう構成したので，
任意の周波数帯域の信号を処理し，混合して出力するように構成された信号処理装置において，入力周波数と出力周波数にそれぞれ対応した分波器・合波器の設計および手間のかかる調整が不要な信号処理装置を提供できる。また，分配器や混合器を使用した信号処理装置であっても高い出力レベル，かつ，低歪率で運用できる信号処理装置を提供できる。
また，前記信号処理回路が，複数並列に接続した場合，複数の信号処理を同時に行える信号処理装置を提供できる。
【００３０】
請求項２の発明によれば，前記信号処理回路において，前記第１周波数帯域の信号に含まれる妨害波成分を除去する妨害波除去機能を有するよう構成したので，
請求項１の効果に加えて，地上波テレビ放送のビートやゴーストなどの妨害波除去が可能な信号処理装置を提供できる。
【００３１】
請求項３の発明によれば，前記信号処理回路から出力される出力信号の周波数帯域は，第１周波数帯域内であって，前記信号処理回路に入力される入力信号の周波数帯域と重ならない異なる周波数に，周波数変換されるよう構成したので，請求項１の効果に加えて，妨害波信号の潜在波が直接，装置へ飛び込むことによって発生する妨害を，未然に防止できる信号処理装置を提供できる。
【００３２】
請求項４の発明によれば，前記信号処理回路から出力される出力信号の周波数帯域と，前記信号処理回路に入力される入力信号の周波数帯域は，略同一に設定されており，前記第１周波数信号通過回路上に前記信号処理回路から出力される周波数の通過を阻止する帯域阻止フィルターを設けるよう構成したので，
請求項１の効果に加えて，受信者の操作性が向上できる信号処理装置を提供できる。
【００３３】
請求項５〜請求項７の発明によれば，前記入力端子および前記出力端子の間に，前記第１周波数信号より周波数が高い第２周波数信号が通過できる第２周波数信号通過回路と，前記第１周波数信号より周波数が低い信号，または，電源電圧が通過できる電源通過手段を備えるよう構成し，前記第１周波数信号はＶＨＦ帯域およびＵＨＦ帯域のテレビ放送信号であり，
前記第２周波数信号は，ＢＳ帯域およびＣＳ帯域の衛星信号であるよう構成したので，
請求項１の効果に加えて，従来のＣＡＴＶシステムにそのまま追加できる信号処理装置を提供できる。
【図面の簡単な説明】
【図１】本発明における第１の実施例のブロック図。
【図２】第１の実施例を用いたテレビ受信システム。
【図３】第２の実施例のブロック図。
【図４】第３の実施例のブロック図。
【符号の説明】
１…信号処理装置，２…入力端子，３…出力端子，４…外部電源供給端子，４ａ…避雷回路付電源回路，１０…信号処理回路，１０ａ…信号処理部，  １０ｂ…増幅器，１０ｃ…増幅器，１０ｄ…利得調整回路，１１…電源フィルター，１２…電源フィルター，１３…ＬＰＦ，１４…分配器，１５…ＶＨＦ・ＵＨＦパス回路，１６…混合器，１７…帯域阻止フィルター，１８…増幅回路，１９…ＬＰＦ，２０…ＨＰＦ，２１…ＢＳ・ＣＳ−ＩＦパス回路，２２…ＨＰＦ，２５…電流通過回路，１００…テレビ受信システム，１０１…ＶＨＦアンテナ，１０２…ＵＨＦアンテナ，１０３…衛星アンテナ，１０３ａ…衛星コンバータ−，１０４…テレビ受信用増幅装置，１０５…同軸ケーブル，１０６…分配器，１０７…テレビ端子，１０８…電源供給器，１０９…分波器，１１０…テレビ受像機，１１１…衛星チューナー，１１５…外部電源供給器，１１６…同軸ケーブル。
【図１】
2004253836.tif 000003
【図２】
2004253836.tif 000004
【図３】
2004253836.tif 000005
【図４】
2004253836.tif 000006